(57)【要約】【課題】天井面や壁面への直付けであっても美観を保つことができること。【解決手段】表示灯１は、表示部２と、点灯回路３と、ケース４とを備えている。表示部２は、ピクトグラム５ｂが前面５ａに付された表示パネル５と、表示パネル５の前面５ａを出光面として光を照射する光源６とから構成される。扁平な箱形のケース４は、光源６を点灯させるための点灯回路３を内部に収納し表示部２の背面２ａに配設される。そして、ケース４は、前面５ａ側から見たときに表示部２によって隠れる程度の寸法であり、且つその上端面４ｂが表示部２の上端面２ｂと面一となる位置に配置されている。因って、前面５ａ側から表示部２に付されているピクトグラム５ｂを目視しても、ケース４が視界に入ることはなく、天井面１０ａへの直付けであっても美観を保つことができる。【選択図】図１
2010146815.tif 000002
【特許請求の範囲】
【請求項１】
透光性を有し文字やマークなどの表示内容が前面に付された表示パネル及び少なくとも
前記表示パネルの前面を出光面として光を照射する光源からなる表示部と、前記光源を点
灯させるための点灯回路と、前記点灯回路を内部に収納し前記表示部の背面に配設される
扁平な箱形のケースとを備え、
前記ケースは、前面側から見たときに前記表示部によって隠れる程度の寸法であり、且
つ上端面が前記表示部の上端面と面一となる位置に配置されていることを特徴とする表示
灯。
【請求項２】
前記光源は、前記表示パネルの上端部に配設されていることを特徴とする請求項１記載
の表示灯。
【請求項３】
前記ケースは、互いの背面同士を対向させて配置される２つの前記表示部の間に介装さ
れていることを特徴とする請求項１または２記載の表示灯。
【発明の詳細な説明】
【技術分野】
【０００１】
本発明は、公共施設や商業施設等において、誘導、案内、防犯などのために設置される
表示灯に関するものである。
【背景技術】
【０００２】
従来より、オフィスビルや、雑居ビル、マンション、映画館、地下鉄構内、地下街等と
いった様々な公共施設や商業施設において、誘導、案内、防犯などを目的とした種々の表
示灯が設置されている。例えば、上記の様な場所で火災や事故で停電したときに、その場
に居る人々が速やかに避難できるように非常口や避難階段の場所へ誘導するために設置さ
れている誘導灯も表示灯の１つである。この種の表示灯は、透光性を有し文字やマークな
どの表示内容が前面に付された表示パネル及び少なくとも表示パネルの前面を出光面とし
て光を照射する光源からなる表示部と、光源を点灯させるための点灯回路と、点灯回路を
内部に収納し表示部の背面に配設される扁平な箱形のケースとを備えている。
【０００３】
近年、この様な表示灯のデザインに対する関心が高まっており、より薄型化のものが望
まれている。例えば、表示部の厚さを薄くするために、光源を表示パネルの上端部に配設
させて、表示パネルと一体に設けた導光板の上端面から光を入射させることで表示パネル
の前面から出光させる表示灯が従来より種々提供されている。
【０００４】
ところで、表示灯の取り付け方には、天井や壁の裏側にケースを配置させる埋め込みタ
イプのものと、天井面や壁面に直接取り付けされる直付けタイプのものとがある。例えば
、特許文献１に記載されている表示灯は、壁への埋め込みタイプのものである。また、天
井面への埋め込みタイプの一例として、図５（ａ）に示すような表示灯５０がある。この
表示灯５０は、天井５３の裏側にケース５１が配置されることで、表示部５２の前面に付
されている表示内容５４（図中では非常口への誘導用のシンボル）を目視する際にケース
５１が視界から外れるので、美観を保つことができデザイン性に優れている。
【０００５】
一方、直付けタイプの一例として、図５（ｂ）に示すような表示灯６０がある。そして
、この表示灯６０は、ケース６１の上端面を天井面（図示せず）に当接させて容易にビス
止め固定することができるので、施工面及びコスト面で優れている。
【特許文献１】特開平５−２４２７１０号公報
【発明の開示】
【発明が解決しようとする課題】
【０００６】
しかしながら、従来の直付けタイプの表示灯６０は、ケース６１が外部へ露出すること
は避けられず、表示部６２の前面に付されている表示内容６３を目視する際に必ずケース
６１が視界に入り、美観を損ねているという問題があった。
【０００７】
本発明は上記事由に鑑みて為されたものであり、その目的は、天井面や壁面への直付け
であっても美観を保つことができる表示灯を提供することにある。
【課題を解決するための手段】
【０００８】
請求項１の発明は、上記目的を達成するために、透光性を有し文字やマークなどの表示
内容が前面に付された表示パネル及び少なくとも前記表示パネルの前面を出光面として光
を照射する光源からなる表示部と、前記光源を点灯させるための点灯回路と、前記点灯回
路を内部に収納し前記表示部の背面に配設される扁平な箱形のケースとを備え、前記ケー
スは、前面側から見たときに前記表示部によって隠れる程度の寸法であり、且つ上端面が
前記表示部の上端面と面一となる位置に配置されていることを特徴とする。
【０００９】
この発明によれば、前記ケースは、前面側から見たときに前記表示部によって隠れる程
度の寸法であり、且つ上端面が前記表示部の上端面と面一となる位置に配置されているの
で、前面側から前記表示部に付されている表示内容を目視しても、前記ケースが視界に入
ることはなく、天井面や壁面への直付けであっても美観を保つことができる。
【００１０】
請求項２の発明は、請求項１の発明において、前記光源は、前記表示パネルの上端部に
配設されていることを特徴とする。
【００１１】
この発明によれば、前記光源は、前記表示パネルの上端部に配設されているので、前記
表示パネルの背面側に配設されるよりも前記表示部の厚さを薄くすることができ、より美
観を保つことができる。
【００１２】
請求項３の発明は、請求項１または２の発明において、前記ケースは、互いの背面同士
を対向させて配置される２つの前記表示部の間に介装されていることを特徴とする。    
【００１３】
この発明によれば、前記ケースは、互いの背面同士を対向させて配置される２つの前記
表示部の間に介装されているので、２つの前記表示部の何れの前面側から表示内容を目視
しても前記ケースが視界に入ることはなく、より美観を保つことができる。
【発明の効果】
【００１４】
本発明では、天井面や壁面への直付けであっても美観を保つことができるという効果が
ある。
【発明を実施するための最良の形態】
【００１５】
以下、本発明の実施形態について、図１〜図４を参照して説明する。本実施形態の表示
灯１は、図１に示すように、表示部２と、点灯回路３と、点灯回路３を内部に収納するケ
ース４とを備えている。
【００１６】
表示部２は、図１に示すように、文字やマークなどの表示内容が前面５ａ（図１中の左
面）に付された表示パネル５と、表示パネル５の前面５ａを出光面として光を照射する光
源６とから構成される。表示パネル５は、図２に示すように、透光性を有する難燃性アク
リル樹脂材料から矩形板状に形成されてなり、その前面５ａには表示内容としてピクトグ
ラム５ｂが表記されている。表示パネル５の背面には透明アクリル樹脂材料によって表示
パネル５と略同形に形成されてなる導光体５ｃ（図中では表示パネルと一体に図示）が設
けられている。また、導光体５ｃの背面には反射シート（図示せず）が配設されている。
そして、光源６から下方へ照射される光は導光体５ｃを通じて屈折・反射し、表示パネル
５の前面５ａから出光される。尚、本実施形態で図示されているピクトグラム５ｂは、非
常口への誘導用のシンボルであるが、これ以外にも例えば案内、防犯を目的としたマーク
や、文字、矢印でもよい。
【００１７】
光源６は、図１及び図２に示すように、下面が開口する角筒状に形成されてなるランプ
ケース６ａと、そのランプケース６ａの内部に収納されている直管型の冷陰極蛍光灯６ｂ
とから構成される。そして、光源６は表示パネル５の上端部に配設されており、上述の様
に下方へ光を照射する。尚、本実施形態では、表示パネル５の上端部に光源６を配置する
ことで表示部２の厚さを薄くし外観上の見映えを良くしているが、これに限らず例えば表
示パネル５の背面側に配設されてもよい。また、冷陰極蛍光灯６ｂの代わりに例えば複数
の発光ダイオードを用いてもよい。
【００１８】
点灯回路３は、図１に示すように、冷陰極蛍光灯６ｂを点灯させるための電子部品がプ
リント配線板上に実装されてなり、ケース４の内底面（図１中のケース４内の右面）の略
中心部に固定される矩形箱状の収納部７内に収納されている。収納部７の前面（図１中の
左面）には配線挿通孔（図示せず）が貫設されており、一端部が点灯回路３の出力端子と
接続され且つ他端部にコネクタを有する接続電線９が、前記配線挿通孔を通じて収納部７
の外部へ導出されている。一方、接続電線９のコネクタは、ケース４内の前面上端（図１
中の左面上端）に貫設される挿通口（図示せず）を通じて光源６に設けられているソケッ
ト（図示せず）と接続されている。また、収納部７の上端面には挿通孔（図示せず）が貫
設されており、一端部が点灯回路３の入力端子と接続される電線８が前記挿通孔を通じて
収納部７の外部へ導出されている。一方、電線８の他端部は、後述の様に天井１０の裏側
に導出され商用交流電源と接続されている。
【００１９】
そして、点灯回路３は、通常時用のインバータ回路と、非常時用のインバータ回路と、
充電回路とから構成されている。通常時用のインバータ回路は、電線８を通じて供給され
る商用交流電源の電力によって冷陰極蛍光灯６ｂを点灯させる。一方、非常時用のインバ
ータ回路は、停電により商用交流電源からの給電が絶たれたとき、充電可能な二次電池（
図示せず）から供給される電力で冷陰極蛍光灯６ｂを点灯させる。充電回路は、通常時に
電線８を介して商用交流電源の電力で前記二次電池の充電を行う。
【００２０】
ケース４は、図１及び図２に示すように、一面が開口するケース本体とその開口を塞ぐ
カバーとから構成され、全体として中空の扁平な矩形箱状に形成されてなる。また、ケー
ス４は、図１に示すように、その前面４ａと表示部２の背面２ａとを対向させて互いの上
端面４ｂ，２ｂが面一となる位置で表示部２に固定されている。ケース４の上端面４ｂに
は、図２に示すように、その左右方向中央に内部に貫通する電線挿通孔４ｃが設けられ、
更に電線挿通孔４ｃを左右方向に挟むようにして一対のビス孔４ｄ，４ｄが穿設されてい
る。そして、ケース４は、図２（ａ）に示すように、ピクトグラム５ｂが付されている前
面５ａ側から見たときに表示部２によって隠れる程度の寸法である。尚、ケース４は、前
記ケース本体のみから構成され、前記カバーの代わりに表示部２の背面２ａで直接開口を
塞ぐように取り付けられてもよい。
【００２１】
上述の本実施形態の表示灯１は、図１に示すように、オフィスビルや、雑居ビル、マン
ション、映画館、地下鉄構内、地下街等の様々な天井１０の天井面１０ａに次の様に容易
に取り付けることができる。すなわち、表示部２の上端面２ｂ及びケース４の上端面４ｂ
を天井面１０ａに対向させて、天井面１０ａに穿設されている一対の孔（図示せず）及び
ケース４のビス孔４ｄ，４ｄを通じてビス止め固定される。そして、ケース４の電線挿通
孔４ｃより導出されている電線８は、天井面１０ａに貫設されている挿通部１０ｂを通じ
て天井１０の裏側に導出され商用交流電源に接続されている。この様に取り付けられる表
示灯１は、従来技術で述べた直付けタイプのものであり、施工面及びコスト面で優れてい
る。ここで、表示灯１は表示部２の上端面２ｂ及びケース４の上端面４ｂを面一としてい
るので、電線８の天井１０裏側への導出作業や、天井面１０ａへの取り付け作業が従来の
直付けの表示灯よりも容易に行える。そして、ケース４は、ピクトグラム５ｂが付されて
いる前面５ａ側から見たときに表示部２によって隠れる程度の寸法であるので、前面５ａ
側からピクトグラム５ｂを目視してもケース４が視界に入ることはない。従って、本実施
形態の表示灯１は、天井面１０ａへの直付けタイプであっても美観を保つことができる。
【００２２】
尚、表示灯１は、上述の天井１０以外にも、図３に示すように壁１１に取り付けられて
もよい。この場合、ケース４の背面を壁面１１ａに対向させてビス止め固定され、ケース
４の背面に貫設されている電線挿通孔４ｅ、並びに壁面１１ａに貫設されている挿通部１
１ｂを介して電線８が壁１１の裏側へ導出されて商用交流電源に接続されている。この様
に壁面１１ａに直付けされる表示灯１は、上述の天井面１０ａに直付けされる表示灯１と
同様の効果を奏することができる。
【００２３】
ところで、表示灯１が天井面１０ａに直付けされる場合において、上述の通りピクトグ
ラム５ｂが付されている前面５ａ側から目視してもケース４は視界に入らない。しかし、
ピクトグラム５ｂが付されていない表示部２の背面２ａ側から目視すればケース４が視界
に入ってしまう（図２（ｂ）参照）。そこで、図４に示すように本実施形態の表示部２を
２つにし、互いのピクトグラム５ｂが付されていない表示部２の背面２ａ同士を対向させ
て配置し、その一対の表示部２，２の間にケース４を介装させれば、表示部２，２の何れ
の前面５ａ，５ａ側から目視してもケース４が視界に入ることはなく、より美観を保つこ
とができる。
【図面の簡単な説明】
【００２４】
【図１】本発明の実施形態の断面図である。
【図２】（ａ）は同上における前方斜視図で、（ｂ）は同上における後方斜視図である。
【図３】同上における壁面に直付けされた断面図である。
【図４】同上における表示部を２つにし、各々背面同士を対向させて配置させた断面図である。
【図５】従来の表示灯の一例を示し、（ａ）は天井埋込タイプの前方斜視図で、（ｂ）は天井直付けタイプの前方斜視図である。
【符号の説明】
【００２５】
１  表示灯
２  表示部
２ａ  背面
２ｂ  上端面
３  点灯回路
４  ケース
４ｂ  上端面
５  表示パネル
５ａ  前面
５ｂ  ピクトグラム
６  光源
１０ａ  天井面
【図１】
2010146815.tif 000003
【図２】
2010146815.tif 000004
【図３】
2010146815.tif 000005
【図４】
2010146815.tif 000006
【図５】
2010146815.tif 000007